【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
含炭素化合物及び少なくとも１種の微量汚染物質を含む廃水（１０４）から少なくとも１種の微量汚染物質を少なくとも部分的に除去する方法（２００、３００、４００）であって、
（ａ）前記廃水（１０４）を主流（１０５）と副流（１０６）に分割するステップ、
（ｂ）主流（１０５）を細菌で処理して、含炭素化合物の含有量を減少させて、少なくとも１種の微量汚染物質を含む欠乏廃水（１０７）を供給する、ステップ、
（ｃ）前記欠乏廃水（１０７）を前記少なくとも１種の微量汚染物質を分解する能力を有する微生物の第２の部分（１６２）で処理して、前記少なくとも１種の微量汚染物質を少なくとも部分的に除去し、それによって処理水（１７０）を供給する、ステップであって、前記微生物の第２の部分（１６２）が、前記微生物の第２の部分（１６２）を前記欠乏廃水（１０７）の処理に使用する前に前記副流（１０６）をそれに供給することによって富化される、ステップ、及び
（ｄ）前記少なくとも１種の微量汚染物質を分解する能力を有する微生物の第１の部分（１６１）に前記副流（１０６）を供給して、前記少なくとも１種の微量汚染物質を少なくとも部分的に除去する前記欠乏廃水（１０７）の処理にその後使用するためにそれらを富化する、ステップを含み、
前記副流（１０６）廃水の生化学的酸素要求量（ＢＯＤ）は１００ｇＯ２／ｍ３／５ｄより高く、前記欠乏廃水（１０７）は、生化学的酸素要求量（ＢＯＤ）が０〜５０ｇＯ２／ｍ３／５ｄである、
方法（２００、３００、４００）。
【請求項２】
ステップ（ｂ）は、
ｉ．）有機化合物を除去するために前記主流（１０５）を細菌（１３０）で処理するステップ、
ｉｉ．）前記主流（１０５）を細菌で好気条件（１４０）下で処理して、ＮＨ４＋をＮＯ３−に酸化するステップ、及び／又は
ｉｉｉ．）前記主流（１０５）を細菌で嫌気条件（１５０）下で処理して、ＮＯ３−をＮ２に転化するステップ、
を含む、請求項１に記載の方法（２００、３００、４００）。
【請求項３】
ステップ（ｂ）は、
ｉ．）有機化合物を除去するために前記主流（１０５）を細菌（１３０）で処理するステップ、
ｉｉ．）ステップｉ）から生じる流れを細菌で好気条件（１４０）下で処理して、ＮＨ４＋をＮＯ３−に酸化するステップ、及び
ｉｉｉ．）ステップｉｉ）から生じる流れを細菌で嫌気条件（１５０）下で処理して、ＮＯ３−をＮ２に転化するステップ、
の連続ステップを含む、請求項２に記載の方法。
【請求項４】
前記方法は、どちらも前記少なくとも１種の微量汚染物質を分解する能力を有する、微生物の第３の部分（１６３）と連続した微生物の第２の部分（１６２）で前記欠乏廃水（１０７）を処理し、それによって処理水（１７０）を供給し、前記微生物の第１の部分（１６１）は、前記副流（１０６）を供給することによって富化されている、ステップを含む、請求項１から３のいずれか一項に記載の方法（２００、３００、４００）。
【請求項５】
前記少なくとも１種の微量汚染物質を分解する能力を有する前記微生物の部分（１６１、１６２、１６３）は、曝気される、又は曝気されない、又は曝気されると曝気されないの組合せである、請求項１から４のいずれか一項に記載の方法（２００、３００、４００）。
【請求項６】
前記副流（１０６）がステップ（ｄ）において微生物（１６１、１６２又は１６３）を育てるために使用された後に、含炭素化合物の含有量を減少させるために細菌で処理するステップ（ｂ）において前記副流（１０６）は前記主流（１０５）に戻される、請求項１から５のいずれか一項に記載の方法（２００、３００、４００）。
【請求項７】
前記微生物（１６１、１６２、１６３）は懸濁担体エレメント（１０８）上で増殖される、請求項１から６のいずれか一項に記載の方法（２００、３００、４００）。
【請求項８】
前記方法は、少なくとも２つのサイクルを含み、第１のサイクルにおいて、前記欠乏廃水（１０７）を処理するために前記微生物の第２の部分（１６２）が使用され、前記副流（１０６）を処理するために前記微生物の第１の部分（１６１）が使用され、第２のサイクルにおいて、前記欠乏廃水（１０７）を処理するために前記微生物の第１の部分（１６１）が使用され、前記副流（１０６）を処理するために前記微生物の第２の部分（１６２）が使用される、請求項１から７のいずれか一項に記載の方法（２００、３００、４００）。
【請求項９】
前記方法は、少なくとも３つのサイクルを含み、第１のサイクルにおいて、前記欠乏廃水（１０７）を処理するために前記微生物の第２の部分（１６２）、続いて前記微生物の第３の部分（１６３）が使用され、前記副流（１０６）を処理するために前記微生物の第１の部分（１６１）が使用され、第２のサイクルにおいて、前記欠乏廃水（１０７）を処理するために前記微生物の第１の部分（１６１）、続いて前記微生物の第２の部分（１６２）が使用され、前記副流（１０６）を処理するために前記微生物の第３の部分（１６３）が使用され、第３のサイクルにおいて、前記欠乏廃水（１０７）を処理するために前記微生物の第３の部分（１６３）、続いて前記微生物の第１の部分（１６１）が使用され、前記副流（１０６）を処理するために前記微生物の第２の部分（１６２）が使用される、請求項１から７のいずれか一項に記載の方法（２００、３００、４００）。
【請求項１０】
前記方法は、請求項１のステップ（ｃ）及び（ｄ）に使用される、少なくとも２つの異なる反応器ステージ（１６４及び１６５）、好ましくは少なくとも３つの異なる反応器ステージ（１６４、１６５及び１６６）を含む、請求項１から９のいずれか一項に記載の方法（２００、３００、４００）。
【請求項１１】
前記少なくとも１種の微量汚染物質は、合成ホルモン、鎮痛剤、脂質制御剤、β遮断薬、抗生物質、抗うつ薬、鎮痛薬、抗てんかん、精神刺激薬などの医薬品又は医薬品からの代謝産物；Ｘ線造影剤（ヨウ素化Ｘ線造影剤）などの医療用製品；ホルモン、抗生物質などの獣医医薬品；成長促進剤などの動物飼料添加物；遮光剤／紫外線遮断剤、抗酸化剤、防腐剤、抗菌剤、ニトロ及び多環ムスク、消毒副生物、防虫剤などのパーソナルケア製品（ＰＣＰ）；除草剤、殺虫剤、殺真菌剤、殺生物剤などの殺生物剤；又は難燃剤、抗酸化剤、可塑剤、配位化合物、腐食防止剤、冷却剤、焼却生成物などの工業化学物質からなる群から選択される、請求項１から１０のいずれか一項に記載の方法（２００、３００、４００）。
【請求項１２】
前記少なくとも１種の微量汚染物質は、スルファジアジン（スルファメトキサゾール、ＡＣ−スルファジアジン、スルファジアジン）、ジクロフェナク、プロプラノロール、スルファメチゾール、ベンラファキシン、カルバマゼピン、イオプロミド、イオヘキソール、イオパミドール、イオメプロール、シタロプラム、アテノロール、メトプロロール、プロプラノロール、ソタロール、トリメトプリム、シプロフロキサシン、トラマドール、１７ａ−エチニルエストラジオール、クラリスロマイシン、エリスロマイシン、ロキシスロマイシン、ジアトリゾ酸、フェナゾン、１７ａ−エチニルエストラジオールイブプロフェン、ナプロキセン、ベザフィブラート、フェノフィブリック酸、クロフィブリン酸、カフェイン、エキシオプロミド、酢酸トレンボロン、テトラサイクリン、クロラムフェニコール、ヒ素ロキサルソン、メチルベンジリデンショウノウ（４−ＭＢＣ）、ヒドロキシ安息香酸、トリクロサン、トナリド（ＡＨＴＮ）、Ｎ−ニトロソジメチル−アミン（ＮＤＭＡ）、Ｎ，Ｎ−ジエチル−メタトルアミド（ＤＥＥＴ）、アラクロール、アトラジン、ベンタゾン、２，４Ｄ、ジウロン、カルバリル、ディルドリン、ジクロロジフェニルトリクロロエタン（ＤＤＴ）、ビンクロゾリントリブチルスズ（ＴＢＴ）、臭素化ジフェニルエーテル（ＰＢＤＥ）、ノニルフェノール（ＮＰ）、ビスフェノールＡ、ペルフルオロオクタンスルホン酸（ＰＦＯＳ）、ペルフルオロオクタン酸（ＰＦＯＡ）、ブチルヒドロキシアニソール（ＢＨＡ）、フタル酸ジエチル（ＤＥＰ）、エチレン−ジアミン四酢酸（ＥＤＴＡ）、ベンゾトリアゾール（ＢＴＳＡ）、ダイオキシン及び多環芳香族炭化水素（ＰＡＨ）からなる群から選択される、請求項１から１１のいずれか一項に記載の方法（２００、３００、４００）。
【請求項１３】
前記生化学的酸素要求量（ＢＯＤ）を１００ｇＯ２／ｍ３／５ｄより高く調節するために、メタノール、エタノールなどの炭素添加物がステップ（ａ）の前記副流（１０６）廃水に添加される、請求項１から１２のいずれか一項に記載の方法（２００、３００、４００）。